【事件の表示】
　平成１１年特許願第１８７４３７号「光記録媒体の欠陥領域管理装置およびその方法。」拒絶査定不服審判事件〔平成１２年　２月　８日出願公開、特開２０００−　４０３１０〕について、次のとおり審決する。
【結　論】
　本件審判の請求は、成り立たない。
【理　由】
　
１．手続の経緯・本願発明
　本願は、平成11年７月１日（パリ条約による優先権主張　平成10年７月１日、韓国（KR））の特許出願であって、平成14年１月30日付けで拒絶査定がなされ、これに対し、同年５月27日に拒絶査定に対する審判請求がなされるとともに、同年６月26日付けで手続補正がなされたものである。
　
２．平成14年６月26日付けの手続補正についての補正却下の決定
　
〔補正却下の決定の結論〕
　平成14年６月26日付けの手続補正（以下、「本件手続補正」という。）を却下する。
　
〔理　由〕
　本件手続補正により、特許請求の範囲の請求項１は、
　
「【請求項１】　実時間記録のための第１記録命令と、実時間と無関係な記録のための第２記録命令とを伝送する制御部と、
　互いに相違した前記第１記録命令と前記第２記録命令を認識し、これから欠陥管理制御を行うことにおいて、前記第１記録命令を認識すると光記録媒体内の欠陥領域に対するリニア交替を行わない記録部と
を含む光記録媒体の欠陥領域管理装置において、
　前記制御部は、前記第１記録命令と、前記第２記録命令とを区別して伝送することを特徴とする光記録媒体の欠陥領域管理装置。」
　
と補正された。
　上記補正は、請求項１に係る発明を特定するために必要な事項である「制御部」に関し、補正前は「実時間記録のための第１記録命令と、実時間と無関係な記録のための第２記録命令とを区別して伝送する」としていたのを、単に文章上段落を分けて、「実時間記録のための第１記録命令と、実時間と無関係な記録のための第２記録命令とを伝送する」「制御部」について、「前記第１記録命令と、前記第２記録命令とを区別して伝送する」としたに過ぎないものであり、実質的に何らの限定も付されていないことは明らかである。しかも、補正前の請求項２乃至７には、「実時間記録のための第１記録命令と、実時間と無関係な記録のための第２記録命令とを区別して伝送する制御部」については何ら示されていない。
　補正後の請求項１に係る発明は、本件手続補正前のいずれかの請求項に係る発明を特定するために必要な事項を限定するものではなく、本件手続補正における特許請求の範囲の補正は、特許法第17条の２第４項第各号に掲げる事項である請求項の削除、特許請求の範囲の減縮、誤記の訂正、及び、明りょうでない記載の釈明を目的とするものではない。
  
　したがって、本件手続補正は、平成15年改正前特許法第17条の２第４項の規定に違反するものであるから、特許法第159条第１項の規定において読み替えて準用する同法第53条第１項の規定により却下すべきものである。
　
３．本願発明について
　
（１）本願発明
　平成14年６月26日付けの手続補正は上記のとおり却下されたので、本願の請求項１に係る発明（以下、同項記載の発明を「本願発明」という。）は、平成13年11月30日付けの手続補正により補正された明細書の特許請求の範囲の請求項１に記載された事項により特定される次のとおりのものである。
　
「【請求項１】 実時間記録のための第１記録命令と、実時間と無関係な記録のための第２記録命令とを区別して伝送する制御部と、
　互いに相違した前記第１記録命令と前記第２記録命令を認識し、これから欠陥管理制御を行うことにおいて、前記第１記録命令で認識すると光記録媒体内の欠陥領域に対するリニア交替を行わない記録部と
を含むことを特徴とする光記録媒体の欠陥領域管理装置。」
　
（２）引用例
　原査定の拒絶の理由で引用された特開平6-103577号公報（以下、「引用例１」という。）には、図面とともに次の技術事項が記載されている。
(i)「【産業上の利用分野】
　本発明は、書換え形光ディスクのデータ記録方法に係り、より詳しくは、記録領域に欠陥セクタを生じた場合の交替処理方法に関する。」（段落［0001］）
(ii)「本発明は、・・・、その目的は、記録するデータの種類によって最適なデータ書き込み速度又は読みだし速度を得られる書換型光ディスクのデータ記録方法を提供するにある。
【課題を解決するための手段】
　本発明は、前記の目的を達成するため、光ディスク又は光ディスクを回転可能に収納するディスクカートリッジに付設されたICメモリ若しくは光ディスクのドライブ装置に付設されたICメモリに、複数の交替処理方法を実行する複数のプログラムを備えておき、ユーザがそれらのうちから適宜の交替処理方法を選択できるようにした。」（段落［0008］〜［0009］）
(iii)「まず、本例における交替処理の手順を、図１にしたがって説明する。交替処理が開始されると、ステップS-1で交替処理方法の選択が行なわれる。なお、欠陥セクタの検出は、光ディスクにデータの書き込みを行ない、書き込み直後に当該記録データの読みだしを行ない、これら書き込みデータと読みだしデータとの比較を行なって、正しいデータが読み出せないと判断された場合に開始される。この方法は、書換型又は追記型の光ディスクで行なわれている通常の欠陥セクタ検出方法である。交替処理方法の選択は、前記したように交替処理方法によってデータの書き込み速度や読みだし速度に差があることを考慮し、ユーザが記録しようとするデータの種類に応じて適宜選択する。
　例えば、ステップS-2の交替処理方法１として前記(1)（注：実際には、丸数字で記載されている。以下、同じ。）の方法（欠陥セクタの次セクタにデータを交替処理する方法）が備えられ、交替処理方法２として前記(2)の方法（データ記録領域とは別に設けられた交替処理専用の領域に欠陥セクタのデータを交替処理する方法）が備えられ、交替処理方法３として前記(3)の方法（同時に複数セクタずつデータを記録してゆき、記録した複数セクタ中に欠陥セクタを含む場合、同時に記録された複数セクタの次セクタに欠陥セクタのデータを交替処理する方法）が備えられている場合において、データの書き込み速度をある程度犠牲にしても高速でデータの読みだしを行ないたいという場合には、前記(1)の方法が選択される。逆に、データの読みだし速度をある程度犠牲にしても高速でデータの書き込みを行ないたいという場合には、前記(2)の方法が選択される。さらに、データの書き込み速度をあまり犠牲にすることなくデータの読みだしもある程度高速に行ないたいという場合には、前記(3)の方法が選択される。」（段落［0012］〜［0013］）
(iv)「【請求項１】光ディスク又は光ディスクを回転可能に収納するディスクカートリッジに付設されたICメモリ若しくは光ディスクのドライブ装置に付設されたICメモリに、複数の交替処理方法を実行する複数のプログラムを記憶しておき、ユーザがそれらのうちから適宜の交替処理方法を選択できるようにしたことを特徴とする書換型光ディスクのデータ記録方法。
【請求項２】　請求項１において、前記交替処理方法の１つが、欠陥セクタの次セクタにデータを交替処理する方法であることを特徴とする書換型光ディスクのデータ記録方法。
【請求項３】　請求項１において、前記交替処理方法の１つが、データ記録領域とは別に設けられた交替領域に、欠陥セクタのデータを交替処理する方法であることを特徴とする書換型光ディスクのデータ記録方法。
【請求項４】　請求項１において、前記交替処理方法の１つが、同時に複数セクタを記録し、記録した複数セクタ中に欠陥セクタを含む場合、同時に記録された複数セクタの次セクタにデータを交替処理する方法であることを特徴とする書換型光ディスクのデータ記録方法。」（「特許請求の範囲」の欄）
(v)「前記した交替処理方法を実行するプログラムは、光ディスク自体に記憶しておくこともできるし、光ディスクを回転可能に収納するディスクカートリッジに付設されたICメモリに記憶しておくこともできる。また、ドライブ装置に付設されたICメモリに記憶しておくこともできる。
　・・・（中略）・・・
【発明の効果】
　以上説明したように、本発明によると、光ディスク又は光ディスクを回転可能に収納するディスクカートリッジに付設されたICメモリ若しくは光ディスクのドライブ装置に付設されたICメモリ等に複数の交替処理方法を実行する複数のプログラムを備えておき、ユーザがそれらのうちから適宜の交替処理方法を選択できるようにしたので、仮想追記型光ディスクの使い勝手を格段に良いものにすることができる」（段落［0021］〜［0023］）
　
　上記記載事項及び図面の記載を参酌すると、引用例１には、書換形光ディスクの記録領域に欠陥セクタを生じた場合の交替処理に関し、記録するデータの種類によって最適なデータ書込み速度、又は読み出し速度とすることを目的として、次の発明が記載されているものと認める。
　
「光ディスクのドライブ装置に付設されたICメモリに、複数の交替処理を実行する複数のプログラムを記憶しておき、ユーザが、書換形光ディスクに対して記録するデータの種類等に応じて、欠陥セクタの次セクタにデータを交替処理すること、データ記録領域とは別に設けられた交替領域に欠陥セクタのデータを交替処理すること、同時に複数セクタを記録し、記録した複数セクタ中に欠陥セクタを含む場合、同時に記録された複数セクタの次セクタにデータを交替処理することを適宜選択できるようにすること。」
　
　同じく引用された、特開平10-125006号公報（以下、「引用例２」という。）には、図面とともに次の技術事項が記載されている。
(i)「【発明の属する技術分野】　本発明は、光ディスク等の記録媒体にデータを記録する信号記録装置および信号記録方法に関し、特に動画等のシーケンシャルデータを記録するものに関する。」（段落［0001］）
(ii)「一般に光ディスク等の記録媒体の記録フォーマットにおいては、欠陥セクタの交替処理の技術が用いられている。この交替処理とは、記録媒体の一部に欠陥が生じ記録媒体にデータを記録することができない場合や記録媒体からデータを再生することができない場合に、その欠損部分にはデータを記録せず記録媒体の他の部分に記録領域を代替しデータを記録する処理のことである。
　具体的にこの欠陥セクタの交替処理は、記録媒体を初期化する際行うサーティファイ（Certify）を用いたスリッピング処理（Slipping処理）と、使用時に行うリニアリプレースメント（Linear Replacement）による処理とがある。
　このスリッピング処理（Slipping）による欠陥セクタの交替処理は次のように行う。まず、物理ブロックアドレスに対応する論理ブロックアドレス（LBA：Logical Block Address）を確定するためにサーティファイを行う。このサーティファイの処理は、記録媒体の各セクタを１つずつ欠陥がないかどうかデータの記録再生を行いチェックする。このチェックによって、そのセクタに欠陥がないと確認された場合は、このセクタの物理ブロックアドレスに対応する論理ブロックアドレスを確定する。また、このチェックにより記録したデータが正しく読み出すことができず、そのセクタに欠陥があると確認された場合は、図３(a)に示すように、この欠陥セクタには論理ブロックアドレスを確定せず、すぐ後の欠陥の無いセクタから論理ブロックアドレスを確定するスリッピング処理をする。そして、この欠陥セクタの物理ブロックアドレスを、記録媒体の管理領域のプライマリディフェクトリスト（以下、PDL：Primary Defect List とする。）に記録する。したがって、このサーティファイを用いたスリッピング処理による欠陥セクタの交替処理では、スリッピング処理をするため欠陥セクタの前後をアクセスしデータを記録および再生する際に、この欠陥セクタをスキップするだけでよいため、パフォーマンスの低下は少ない。
　また、使用時に行うリニアリプレースメントによる交替処理は次のように行う。記録媒体にデータを書き込みをしている際に、欠陥セクタを発見すると、その欠陥セクタに記録すべきデータを、図３(b)に示すように記録媒体のスペアエリアの代替セクタに記録する。この代替セクタには、書き込みができなかった欠陥セクタの論理ブロックアドレスが施される。そして、この欠陥セクタの物理ブロックアドレスと交替先の物理ブロックアドレスを、記録媒体の管理領域にあるセカンダリディフェクトリスト（以下、SDL：Secondly Defect List とする）に記録する。したがって、このリニアリプレースメントによる交替処理では、欠陥セクタの前後をアクセスしデータを記録および再生する際に、この欠陥セクタの代替先にアクセスするためシークおよび回転待ちをするためパフォーマンスが著しく低下する。このため、動画等のリアルタイムによる記録再生は不向きである。
　上述した記録容量が数ギガバイト単位を超える大容量の記録媒体であって、映画等の動画像のシーケンシャルデータを取扱う再生専用の光ディスク記録媒体と、今後出現が予想される記録容量が数ギガバイト単位を超える大容量の記録媒体であって、コンピュータデータ等の取扱いが可能な記録再生をする光ディスク記録媒体との互換性を取るためには、上述したような交替処理を含むデータのフォーマットを共通にする必要がある。」（段落［0004］〜［0008］）
（iii）「【発明の実施の形態】
　以下、本発明の実施の形態について、図面を参照しながら説明する。本発明に係る信号記録装置は、図１に示すように動画記録装置として実現できる。
　本発明に係る動画記録装置１は、例えばDVD-RAM（デジタルビデオディスク?ランダムアクセスメモリ）のような記録容量が数ギガバイト単位を超える大容量の記録媒体であって、コンピュータデータ等の取扱いが可能な記録再生をする光ディスク記録媒体（以下、単に記録媒体という。）にシーケンシャルデータである動画データを記録する信号記録装置である。
　また、本発明に係る動画記録装置１は、動画データを記録する際に、上記記録媒体の欠陥セクタを検出し、欠陥を検出するとその部分のセクタをスキップし、つぎの欠陥の無いセクタから記録をする信号記録装置である。」（段落［0017］〜［0018］）
(iv)「動画記録装置１が、記録媒体の欠陥セクタを検出し、スリッピング処理しながら動画データを記録媒体に記録する記録方法について、図２に示すフローチャートを参照しながら説明する。
　動画記録装置１は、この動画記録装置１の使用者が、外部チューナやビデオカメラ等から動画データが供給されることで動作が開始される。
　ステップS1において、動画記録装置１に記録媒体をセットし、記録媒体を物理フォーマットする。動画記録装置１は、記録媒体にサーティファイを行わない。なお、この場合、記録媒体に何等フォーマットがされておらず、あるいは、データが記録されていなければ、ブランクの状態のまま何もせず次のステップに進んでもよい。
　ステップS2においては、ファイルシステムのシステムデータを論理ブロックアドレスの低い部分から記録媒体に記録し、論理フォーマットを行う。このファイルシステムのシステムデータとは、例えば、UDF（Universal Disk Format：Optical Storage Technology Associationの登録商標）のファイルシステムのVOLUME＆FILE Structure等である。また、記録媒体に記録する場合において記録媒体中に欠陥セクタを見つけたらスリッピング処理を行い、この欠陥セクタの物理ブロックアドレスをシステムメモリ上に記録する。
　なお、このステップS2において、記録媒体のシステムエリアのみをサーティファイし、論理フォーマットをすることも可能である。
　ステップS3において、動画記録装置１は動画データの記録を開始するか否かを判断する。動画データの記録の開始は、例えば、動画記録装置１の使用者が記録開始ボタン等を押すことで記録が開始される。記録が開始されない場合は、このステップS3で一時待機をする。
　ステップS4において、データエリアの論理ブロックアドレスの低い部分から記録を開始する。
　ステップS5において、ステップS4でデータを記録したセクタに欠陥があるか否かを判断する。具体的には、欠陥セクタ検出回路31が物理ブロックアドレスを検出することにより判断する。欠陥があると判断した場合はステップS6に進む。欠陥がないと判断した場合はステップS8に進む。
　ステップS6において、ステップS5で欠陥があると判断した欠陥セクタのスリッピング処理を行う。具体的には、アドレス制御回路32がRSPCワーキングメモリ14の読出しアドレスのカウントを一時停止させ、記録媒体の欠陥セクタの部分をスリップし、次の欠陥の無いセクタから記録を再度開始する。
　ステップS7おいて、欠陥セクタのスリッピング処理をした後、欠陥セクタ検出回路31がこの欠陥セクタの物理ブロックアドレスを中央処理装置21に供給し、中央処理装置21は、ランダムアクセスメモリ24にこの物理ブロックアドレスを記憶させる。なお、このランダムアクセスメモリ24は、動画記録装置１が動画データの記録をしている際に検出した欠陥セクタの物理ブロックアドレスすべてをリストとして記憶する。このステップS7において処理が終了すると、ステップS4に進みこのスリップした欠陥セクタ分のアドレスを加算したの物理ブロックアドレスから再度記録を開始する。
　ステップS8において、記録を終了するか否かを判断する。動画データをすべて記録したか、または、記録終了等が指示された場合は、ステップS9に進み終了処理を行う。また、すべての動画データを記録しておらず、動画データの記録を継続するときは、読出しアドレスおよび物理ブロックアドレスをそれぞれ１加算し、ステップS4から記録を順次続ける。
　ステップS9において、動画データの記録を停止し、それまでにランダムアクセスメモリ24に溜まった欠陥セクタの物理ブロックアドレスのリストを記録媒体のシステムエリアのPDLに記録する。なお、この際に、ステップS1において記録媒体の物理フォーマットをしていない場合、同時にDDS（Disk Definition Structure）とSDLを記録する。
　ステップS10において、記録媒体のシステムエリアにファイルの管理情報を更新する。例えば、上述したUDFファイルシステムであれば、ファイルエントリ等を記録し、VOLUME＆FILE Structureを記録データに合わせて更新する。ステップS10の処理を終えると、動画記録装置１の動作が終了する。
　以上のように、本発明に係る動画記録装置１は、サーティファイをせずに記録媒体に動画データの記録をすることができ、この記録媒体に記録したデータはサーティファイをして記録したデータのフォーマットと同一である。また、この動画記録装置１は、動画のリアルタイムでの記録ができ、この記録媒体を再生する場合もリアルタイム再生ができる。そのため、この動画記録装置１を使用する者の使い勝手が向上する。また、記録媒体を生産する者が、記録媒体の工場出荷時にサーティファイをしなくてよいため、生産のコストダウンにつながる。」（段落［0035］〜［0046］）
　
（３）対　比
　本願発明と引用例１に記載された発明とを対比する。
　引用例１に記載された発明における「書換え形光ディスク」は、本願発明における「光記録媒体」に相当し、引用例１に記載された発明は、該光ディスク（光記録媒体）に記録する際、記録領域に欠陥セクタを生じた場合の交替処理、すなわち光ディスク（光記録媒体）の欠陥領域の管理制御に関するものであり、この点で本願発明と共通する。
　引用例１に記載された発明における「交替処理」は、本願発明における光ディスクにデータを記録する際の「欠陥管理制御」に相当する。引用例１に記載された発明における「データ記録領域とは別に設けられた交替領域に欠陥セクタのデータを交替処理すること」は、いわゆる「リニア交替」処理のことであることは明らかである。とすると、引用例１に記載された発明は、これ以外の、リニア交替を行わない場合を含むものであることは明らかである。
　引用例１に記載された発明における「光ディスクのドライブ装置」は、光ディスク（光記録媒体）に対して「記録」動作を行うものであり、その意味で本願発明における「記録部」に相当する。
　引用例１に記載された発明においては、書換形光ディスク（光記録媒体）に記録するデータの種類等に応じて、ユーザが複数の（リニア交替を含む）交替処理の中から最適な交替処理を選択するものであり、本願発明も「互いに相違した〔実時間記録のための〕前記第１記録命令と〔実時間と無関係な記録のための〕前記第２記録命令を認識し、これから欠陥管理制御を行う」ものであり、データが実時間記録とそうでない記録の場合に応じて、すなわち記録データの種類に応じて、欠陥管理制御を行うものであるから、引用例１に記載された発明における「書換形光ディスク（光記録媒体）に記録するデータの種類等に応じて、ユーザが複数の（リニア交替を含む）交替処理の中から最適な交替処理を選択する」ことと、本願発明における「互いに相違した〔実時間記録のための〕前記第１記録命令と〔実時間と無関係な記録のための〕前記第２記録命令を認識し、これから欠陥管理制御を行う」こととは、光記録媒体に対して記録するデータの種類に応じて交替処理（欠陥管理制御）を行うものであるという限りにおいて共通する。
　そうすると、本願発明と引用例１に記載された発明とは、次の点で一致する。
　
 一致点
　「（光記録媒体に対して記録するデータの種類に応じて）光記録媒体内の欠陥領域に対するリニア交替を行わない記録部を含む光記録媒体の欠陥領域管理装置。」
　
そして、次の各点で相違する。
 相違点
(a) 光記録媒体に対して記録するデータの種類に関し、本願発明においては、実時間記録するデータと実時間とは無関係な記録データに区別しているのに対し、引用例１に記載された発明においては、このことについて特に示されていない点（以下、「相違点ａ」という。）。
(b) 記録部がリニア交替を行わない条件に関し、本願発明においては、「互いに相違した〔実時間記録のための〕前記第１記録命令と〔実時間と無関係な記録のための〕前記第２記録命令を認識し、これから欠陥管理制御を行うことにおいて、前記第１記録命令で認識すると光記録媒体内の欠陥領域に対するリニア交替を行わない」ものであるのに対し、引用例１に記載された発明においては、このことについて特に示されていない点（以下、「相違点ｂ」という。）。
(c) 本願発明は、「第１記録命令と第２記録命令とを区別して伝送する」「制御部」と、「第１記録命令と第２記録命令を認識し、第１記録命令で認識すると光記録媒体内の欠陥領域に対するリニア交替を行わない」「記録部」とを含む「光記録媒体の欠陥領域管理装置」に係るものであるのに対し、引用例１に記載された発明は、このことについて特に示されていない点（以下、「相違点ｃ」という。）。
　
（４）判　断
　そこで、上記各相違点について検討する。
　
（相違点ａについて）
　引用例２には、リニアリプレースメントによる交替処理（「リニア交替」と同義である。）では、欠陥セクタの前後をアクセスしデータを記録および再生する際に、この欠陥セクタの代替先にアクセスするためシークおよび回転待ちをするためパフォーマンスが著しく低下するため、映画等の動画像のリアルタイム（実時間）による記録再生は不向きかもしくは使用できないものであることから、動画データをリアルタイム（実時間）で記録する際には、リニアリプレ−スメントによる交替処理（リニア交替）を用いず、記録媒体の欠陥セクタを検出し欠陥を検出するとその部分のセクタをスキップし、次の欠陥のないセクタから記録を行うようにした信号記録装置が記載されている（なお、ディスクに実時間で記録することが要求される画像データを欠陥セクタをスキップしながら連続した複数のセクタに記録すること自体については、この他にも、特開平4-28061号公報、国際公開98/14938号パンフレット（1998年４月９日国際公開）にもみられるように本願の優先権主張の日前に周知の技術である。）。
　したがって、引用例１に記載された発明においても、記録するデータが動画像等のリアルタイム（実時間）で記録することが必要なデータの場合には、引用例２に記載されたもののようにデータ記録領域とは別に設けられた交替領域に欠陥セクタのデータを交替処理するいわゆるリニア交替を選択しないようにすること、すなわち、記録するデータを記録再生に適した交替処理によって区別し、〔リニア交替に適さない〕リアルタイム（実時間）で記録するものとそうでないものとに区別することは、当業者が適宜なし得た事項である。
　
（相違点ｂ、ｃについて）
　ホストコンピュータから光ディスク装置にデータの記録命令を伝送し、光ディスクに記録する際、該命令に基づいて交替処理を行うことは本願の優先権主張の日前に周知の技術である（例えば、前掲の特開平4-28061号公報、及び、特開平7-254229号公報を参照。）から、引用例１に記載された発明においても、記録するデータの種類に応じてユーザ側で交替処理を選択することに替えて、上記周知技術のようにホストコンピュータ（制御部）からの記録命令に基づいて、記録するデータの種類に応じて交替処理を行うことは当業者が適宜なし得た事項である。
　その場合、一般に、ホストコンピュータ（制御部）からの命令を被制御部の制御動作に応じたものとして伝送し、被制御部側でこの命令を認識して動作させることはごく普通の技術であることを考慮すると、単に、データをリアルタイム（実時間）で記録する際には、リニアリプレ−スメントによる交替処理（リニア交替）を用いず、記録媒体の欠陥セクタを検出し欠陥を検出するとその部分のセクタをスキップし、次の欠陥のないセクタから記録を行うようにするために、ホストコンピュータ（制御部）からの記録命令を実時間記録のための記録命令（第１記録命令）と、そうでない実時間と無関係な記録のための記録命令（第２記録命令）とに区別して伝送し、光ディスク装置（記録部）側でこれらの記録命令（第１記録命令と第２記録命令）を認識して、実時間記録のための命令を認識するとリニアリプレースメントによる交替処理（リニア交替）を行わないようにすることは当業者が容易に想到できたものである。
　
　そして、本願発明の奏する効果も、引用例１、引用例２及び上記周知技術から当業者が十分に予測できたものであって、格別のものとはいえない。
　
（５）むすび
　以上のとおりであるから、本願発明は、引用例１、２に記載された発明及び上記周知技術に基づいて当業者が容易に発明をすることができたものであると認められるので、特許法第29条第２項の規定により特許を受けることができない。
　
　よって、結論のとおり審決する。